【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
外部装置と通信する通信手段と、
複数のコンテンツを記録媒体から取得する取得手段と、
前記記録媒体に記録されている一つのコンテンツを表示部の一画面に表示するシングル表示モードと、前記記録媒体に記録されている複数のコンテンツを表示部の一画面に表示するマルチ表示モードとを含む複数の表示モードを有する制御手段とを有し、
前記表示モードが前記マルチ表示モードである状態から前記外部装置との通信を開始する場合、前記制御手段は、前記外部装置との通信を確立した後に、前記記録媒体に記録されている複数のコンテンツを表示部の一画面に表示して送信対象の選択を受け付け、
前記表示モードが前記シングル表示モードである状態で前記外部装置との通信を開始する場合、前記制御手段は、前記外部装置との通信を確立した後に、送信対象の選択を受け付けないことを特徴とする通信装置。
【請求項２】
前記表示モードが前記シングル表示モードである状態で前記外部装置との通信を開始する場合、前記制御手段は、前記外部装置との通信を確立した後に送信対象の選択を受け付けることなく、前記シングル表示モードで表示されていたコンテンツを、前記通信手段を介して前記外部装置に送信するよう制御することを特徴とする請求項１に記載の通信装置。
【請求項３】
前記表示モードが前記シングル表示モードである状態で前記外部装置との通信を開始する場合、前記制御手段は、前記外部装置との通信を確立した後に、前記シングル表示モードで表示されていたコンテンツの送信中であることを示す画面に遷移するよう制御することを特徴とする請求項２に記載の通信装置。
【請求項４】
前記表示モードが前記マルチ表示モードである状態で前記外部装置との通信を開始する場合、前記通信手段は、前記外部装置との通信を確立した後に選択された一つまたは複数のコンテンツを前記外部装置に送信することを特徴とする請求項１乃至３のいずれか１項に記載の通信装置。
【請求項５】
前記表示モードが前記マルチ表示モードである状態で前記外部装置との通信を開始する場合、前記制御手段は、前記外部装置との通信を確立した後に、前記記録媒体に記録されている複数のコンテンツから一つまたは複数のコンテンツを選択するための画面に遷移するよう制御することを特徴とする請求項４に記載の通信装置。
【請求項６】
前記通信手段による前記外部装置へのコンテンツの送信が完了した場合、前記外部装置との通信を切断する請求項１乃至５のいずれか１項に記載の通信装置。
【請求項７】
前記通信手段による前記外部装置へのコンテンツの送信がエラーにより停止した場合、前記外部装置との通信を切断しないことを特徴とする請求項６に記載の通信装置。
【請求項８】
前記表示モードが前記シングル表示モードである状態で開始された通信での前記外部装置へのコンテンツの送信が完了した場合、前記通信手段は、前記外部装置との通信を切断し、
前記表示モードが前記マルチ表示モードである状態で開始された通信での前記外部装置へのコンテンツの送信が完了した場合、前記通信手段は、前記外部装置との通信を切断しないことを特徴とする請求項１乃至５のいずれか１項に記載の通信装置。
【請求項９】
前記表示モードが前記シングル表示モードである状態で開始された通信での前記外部装置へのコンテンツの送信がエラーにより停止した場合、前記外部装置との通信を切断しないことを特徴とする請求項８に記載の通信装置。
【請求項１０】
前記外部装置と近接無線通信により通信可能な、前記通信手段とは異なる近接無線通信手段を更に有し、
前記近接無線通信手段により通信パラメータを前記外部装置と共有することに応じて、前記通信手段は、前記通信パラメータを用いた前記外部装置との通信を開始することを特徴とする請求項１乃至９のいずれか１項に記載の通信装置。
【請求項１１】
前記近接無線通信手段により通信パラメータを前記外部装置と共有することに応じて、前記通信手段は、前記通信パラメータを用いて前記外部装置と通信するためのネットワークの生成を開始することを特徴とする請求項１０に記載の通信装置。
【請求項１２】
前記制御手段は、前記近接無線通信手段により通信パラメータを前記外部装置と共有した際の前記表示モードに基づき、前記通信手段による通信が、前記表示モードが前記シングル表示モードである状態から開始された通信であるか前記表示モードが前記マルチ表示モードである状態から開始された通信であるかを決定することを特徴とする請求項１０に記載の通信装置。
【請求項１３】
前記近接無線通信手段はＮＦＣに従って通信し、
前記通信手段は無線ＬＡＮに従って通信することを特徴とする請求項１０乃至１２のいずれか１項に記載の通信装置。
【請求項１４】
被写体を撮像して画像データを生成する撮像手段を更に有し、
前記制御手段は、前記撮像手段により生成された画像データを前記コンテンツとして前記記録媒体に記録するよう制御する請求項１乃至１３のいずれか１項に記載の通信装置。
【請求項１５】
ユーザからの通信パラメータの入力を受け付ける受け付け手段を更に有し、
前記通信手段が、前記ユーザから入力された通信パラメータを用いて前記外部装置と通信する場合、コンテンツの送信が完了したとしても前記外部装置との通信を維持することを特徴とする請求項１乃至１４のいずれか１項に記載の通信装置。
【請求項１６】
記録媒体に記録されている一つのコンテンツを表示部の一画面に表示するシングル表示モードと、前記記録媒体に記録されている複数のコンテンツを表示部の一画面に表示するマルチ表示モードとを含む複数の表示モードを有する通信装置の制御方法であって、
外部装置と通信する通信工程と、
複数のコンテンツを前記記録媒体から取得する取得工程と、
前記表示モードが前記マルチ表示モードである状態から前記外部装置との通信を開始する場合、前記外部装置との通信を確立した後に、前記記録媒体に記録されている複数のコンテンツを表示部の一画面に表示して送信対象の選択を受け付け、
前記表示モードが前記シングル表示モードである状態から前記外部装置との通信を開始する場合、前記外部装置との通信を確立した後に、送信対象の選択を受け付けないよう制御する制御工程とを有する制御方法。
【請求項１７】
コンピュータを請求項１乃至１５の通信装置の各手段として機能させるためのコンピュータが読み取り可能なプログラム。
【手続補正２】
【補正対象書類名】明細書
【補正対象項目名】０００６
【補正方法】変更
【補正の内容】
【０００６】
外部装置と通信する通信手段と、複数のコンテンツを記録媒体から取得する取得手段と、前記記録媒体に記録されている一つのコンテンツを表示部の一画面に表示するシングル表示モードと、前記記録媒体に記録されている複数のコンテンツを表示部の一画面に表示するマルチ表示モードとを含む複数の表示モードを有する制御手段とを有し、前記表示モードが前記マルチ表示モードである状態から前記外部装置との通信を開始する場合、前記制御手段は、前記外部装置との通信を確立した後に、前記記録媒体に記録されている複数のコンテンツを表示部の一画面に表示して送信対象の選択を受け付け、前記表示モードが前記シングル表示モードである状態で前記外部装置との通信を開始する場合、前記制御手段は、前記外部装置との通信を確立した後に、送信対象の選択を受け付けないことを特徴とする通信装置。